(57)【要約】  【課題】落下姿勢を安定させて商品収納コラム内での商品詰まりを防止するとともに、商品の落下速度を十分に減速させて、変形、破損等を防止する。  【解決手段】上下方向に沿って商品案内体２５，２６を前後に対向配置して形成した商品収納コラム２１と、前記対向配置した一方の商品案内体２５に有する上下方向に配列した複数のフラッパー２８と、前記フラッパーの固定端側を回動基点２９とし、自由端側を商品収納コラム２１内方側に向かって付勢する付勢手段３０を備え、上部に位置するフラッパー２８が商品の自重により下方に回動したとき、前記上部に位置するフラッパー２８は下部に位置するフラッパー２８に接触して、前記下部上部に位置するフラッパー２８を下方へ回動させるものである。【選択図】図３
2006277479.tif 000002
【特許請求の範囲】
【請求項１】
商品を横倒し姿勢で上下方向に積重ねて収納する自動販売機の商品収納装置で、上下方向に沿って商品案内体を前後に対向配置して形成した商品収納コラムと、前記対向配置した一方の商品案内体に有する上下方向に配列した複数のフラッパーと、前記フラッパーの固定端側を回動基点とし、自由端側を商品収納コラム内方側に向かって付勢する付勢手段を備え、上部に位置するフラッパーが商品の自重により下方に回動したとき、前記上部に位置するフラッパーは下部に位置するフラッパーに接触して、前記下部に位置するフラッパーを下方へ回動させることを特徴とする自動販売機の商品収納装置。
【請求項２】
上部に位置するフラッパーは下部に位置するフラッパーの反力を受けながら回動することを特徴とする請求項１に記載の自動販売機の商品収納装置。
【請求項３】
上部に位置するフラッパーの回動とともに、下部に位置するフラッパーへの接触点を移動させて、前記上部に位置するフラッパーが前記下部に位置するフラッパーから受ける反力を変化させることを特徴とする請求項１または２に記載の自動販売機の商品収納装置。
【請求項４】
フラッパーは商品に対して、前記フラッパーの自由端側に位置する商品案内体方向へ押圧力を与えながら回動することを特徴とする請求項１から３のいずれか一項に記載の自動販売機の商品収納装置。
【請求項５】
商品収納コラム内を落下移動する商品は、複数のフラッパーに同時に接触することを特徴とする請求項１から４のいずれか一項に記載の自動販売機の商品収納装置。
【請求項６】
商品は複数のフラッパーの反力を同時に受けながら落下することを特徴とする請求項１から５のいずれか一項に記載の自動販売機の商品収納装置。
【請求項７】
上部に位置するフラッパーの回動基点と下部に位置するフラッパーの回動基点間の距離は、フラッパーの回動基点から自由端側方向のフラッパーの長さよりも短いことを特徴とする請求項１から６のいずれか一項に記載の自動販売機の商品収納装置。
【発明の詳細な説明】
【技術分野】
【０００１】
本発明は商品を横倒し姿勢で上下方向に積み重ねて収納する自動販売機の商品収納装置に関するものである。
【背景技術】
【０００２】
従来この種の自動販売機の商品収納装置（商品収納用コラム）で、缶商品の収納効率を高め、また缶表面の傷つきを低減することを目的として、商品収納部を形成する通路の前後壁を直立した案内板で形成し、上下方向にフラッパーを備えた特許文献１のものがある。
【０００３】
図６は特許文献１に記載された従来の商品収納用コラムを示すものである。図７は従来の別の商品収納用コラムを示すものである。
【０００４】
図６に示すように、自動販売機（図示しない）内に商品である円筒形の缶等を上下方向に収納するコラム１には下方に膨らんで湾曲した円弧状のフラッパー２が前板３に軸２ａを中心として回動自在に取り付けられている。また後板４には所要間隔で突部５が設けられている。
【０００５】
以上の構成についてその動作を説明する。落下した缶は突部５によってその落下方向を垂直方向からやや内方に変えてフラッパー２の上に落下する。缶が落下したフラッパー２は軸２ａを中心に下方に回動して、下段にある突部５の方に缶を落下させる。そして突部５とフラッパー２の順番に次々に缶が落下してコラム１の下方に到る。このコラム１の場合、突部５とフラッパー２によって衝撃力が弱められる。
【０００６】
また図７のように商品収納口から搬出口まで真っ直ぐな板で構成されたコラム６がある。コラム６は前板７と相対向するように後板８で構成され、前板７に所定間隔をおいてフラッパー９が軸１１を中心に回動自在になっている。またフラッパー９は軸１１から上方に突片１０が延設されている。そしてフラッパー９が前板７に沿って垂れ下がった状態でフラッパー９の先端が下段に備えたフラッパー９の突片１０の先端部を押圧するように形成されている。
【０００７】
以上の構成についてその動作を説明する。缶が落下したフラッパー９は下方に回動するとともに、缶を下方に落下させる。フラッパー９が下方に回動して前板７に沿って垂れ下がった状態になるとフラッパー９の先端部が下段のフラッパー９の突片１０をコラム外方に押圧する。これにより軸１１を中心に下段のフラッパー９はコラム６内に突出する。そして上方から落下してきた缶を支持する。フラッパー９の上に缶が落下すると缶の重みで下方に回動して缶を落下させる。このように次々と上方のフラッパー９の先端部が下方のフラッパー９の突片１０を押圧することによって下方のフラッパー９を通路内へ突出させ、落下してくる缶を支持していく。したがって缶はその衝撃力をフラッパー９によって吸収される。またこの構成においては、軸１１部にバネ等の弾性部材を設けていない。
【特許文献１】特開平４−４４９６号公報
【発明の開示】
【発明が解決しようとする課題】
【０００８】
しかしながら、上記従来の構成では、図６の場合、落下する商品は突部５によって垂直方向からやや内方に変えられ、フラッパー２によってまた突部５方向に変えられるため商品がジグザグ状に落下する。このため商品の落下方向が一定していないため商品の落下姿勢が不安定になりやすい。また商品がフラッパー２に受け止められながら落下するが、商品が上部フラッパーから下部フラッパーに移動するときに、どちらのフラッパーにも商品が支持されないタイミングがあり、これによって商品姿勢をさらに不安定にさせ、商品の立ち姿勢による商品詰まりを発生しやすくなる。また落下時、下部のフラッパーと商品の衝突による衝撃によって商品の傷つき、フォーミングが発生しやすい。さらに缶、ビン等の商品の落下速度が十分に減速されないため、商品が投入されコラム１内を落下し、静止している最下部に着地するときの衝撃力が大きく、このため衝撃音の発生とともに商品の変形や破損の恐れがある。
【０００９】
また図７の場合、後板８によって落下商品は一定方向に落下していき、フラッパー９に受けられてフラッパー９の先端が下方に垂れ下がったフラッパー９の突片１０を押圧して移動する。この場合、商品が投入される前のコラム６のフラッパー９はバネ等の弾性部材がないためコラム６内に１つおきに突出した状態で維持されている。
【００１０】
この状態で商品が投入されたとき、フラッパー９と後板８に支持されながら下方へ落下していくが上フラッパーが商品の重みで回動し、上フラッパーがほぼ回動し終わるまで他からの反力を受けることがないので、商品は減速されることなく自重で落下する。また上フラッパーから下フラッパーへ商品が移動しているときに、下フラッパーが上フラッパーの押圧によって商品落下方向と反対方向に回動して商品を迎えに行き商品を支持する構成のため、商品に直接反対方向の力が加わるため衝撃音の発生、商品の傷つきの原因となる。
【００１１】
さらに缶、ビン等の商品の落下速度が十分に減速されないため、商品が投入されコラム１内を落下し、静止している最下部に着地するときの衝撃力が大きくこのため衝撃音の発生とともに、商品の変形や破損の恐れがある。
【００１２】
また下フラップが商品を受けるときは、商品が上下フラップどちらにも支持されないタイミングがありその間商品落下姿勢が不安定になる。特に商品を連続投入した場合、商品がフラップに支持されず落下するため商品姿勢が不安定になり、商品の立ち姿勢による商品詰まりを発生しやすくなるという課題がある。
【００１３】
本発明は、上記従来の課題を解決するもので、商品の落下姿勢を安定させて商品収納コラム内での商品詰まりを防止するとともに、商品の落下速度を十分に減速させて、変形、破損等を防止した自動販売機の商品収納装置を提供することを目的とする。
【課題を解決するための手段】
【００１４】
上記従来の課題を解決するために、本発明の自動販売機の商品収納装置は、商品を横倒し姿勢で上下方向に積重ねて収納する自動販売機の商品収納装置で、上下方向に沿って商品案内体を前後に対向配置して形成した商品収納コラムと、前記対向配置した一方の商品案内体に有する上下方向に配列した複数のフラッパーと、前記フラッパーの固定端側を回動基点とし、自由端側を商品収納コラム内方側に向かって付勢する付勢手段を備え、上部に位置する上部フラッパーが商品の自重により下方に回動したとき、前記上部に位置するフラッパーは下部に位置する下部フラッパーに接触して、前記下部フラッパーを下方へ回動させることを特徴とするものである。
【００１５】
上記した構成によって、従来のように商品の落下移動によって複数のフラッパーが、各々独立した間欠的な動作として下方へ回動して商品を支持するのではなく、上部に位置するフラッパーが商品の自重により下方に一定角度回動したとき、前記上部に位置するフラッパーは下部に位置するフラッパーに接触して、前記下部に位置するフラッパーを下方へ回動させるようにして、上部、下部に位置するフラッパー同士を相互に関連した連続的な動作として回動させる。したがって、上部に位置するフラッパーの回動により、下部に位置するフラッパーは、付勢手段で付勢された静止位置から事前に下方に回動を開始し、各々のフラッパーが商品収納コラム内を落下移動する商品を順次連続して支持するとともに、商品に反力を与えて落下速度を減速する。
【発明の効果】
【００１６】
本発明の自動販売機の商品収納装置によれば、商品の商品収納コラム内での落下姿勢を安定させて商品詰まりを防止するとともに、商品の落下速度を十分に減速させて、変形、破損等を防止することができる。
【発明を実施するための最良の形態】
【００１７】
第１の発明は、商品を横倒し姿勢で上下方向に積重ねて収納する自動販売機の商品収納装置で、上下方向に沿って商品案内体を前後に対向配置して形成した商品収納コラムと、前記対向配置した一方の商品案内体に有する上下方向に配列した複数のフラッパーと、前記フラッパーの固定端側を回動基点とし、自由端側を商品収納コラム内方側に向かって付勢する付勢手段を備え、上部に位置するフラッパーが商品の自重により下方に回動したとき、前記上部に位置するフラッパーは下部に位置するフラッパーに接触して、前記下部に位置するフラッパーを下方へ回動させることを特徴とするものである。
【００１８】
上記した構成によって、商品の落下移動によって複数のフラッパーが、各々独立した間欠的な動作として下方へ回動して商品を支持するのではなく、上部に位置するフラッパーが商品の自重により下方に一定角度回動したとき、前記上部に位置するフラッパーは下部に位置するフラッパーに接触して、前記下部に位置するフラッパーを下方へ回動させるようにして、上部、下部に位置するフラッパー同士を相互に関連した連続的な動作として回動させる。したがって、上部に位置するフラッパーの回動により、下部に位置するフラッパーは、付勢手段で付勢された静止位置から事前に下方に回動を開始し、各々のフラッパーが商品収納コラム内を落下移動する商品を順次連続的に支持するとともに、商品に反力を与えて落下速度を減速する。
【００１９】
これによって、商品収納コラム内に投入された横倒し姿勢の商品は、落下途中で不安定な姿勢や引っ掛かり現象から発生する商品立ちを起すことなく横倒し姿勢のまま安定して落下し、商品収納コラム内での商品詰まりを防止することができる。また、商品の落下速度を各々のフラッパーによって、より連続的に減速させることにより、商品がフラッパーへ接触するときおよび商品が静止している最下部に着地するときの衝撃力が小さく、衝撃音の発生、商品の変形、破損を防止することができる。
【００２０】
第２の発明は、第１の発明において、上部に位置するフラッパーは下部に位置するフラッパーの反力を受けながら回動するものである。
【００２１】
これによって、上部に位置するフラッパーは下部に位置するフラッパーからの反力を受け、この反力を落下移動する商品に与えることで、商品の落下速度をより減速させて、商品が静止している最下部に着地するときの衝撃力が小さく、衝撃音の発生、商品の変形や破損を防止することができる。また各々のフラッパーの付勢手段の付勢力を低減することもでき、これによってフラッパーで商品の衝撃力を吸収し、衝撃音の発生、商品の変形や破損を防止することができる。
【００２２】
第３の発明は、第１または第２の発明において、上部に位置するフラッパーの回動とともに、下部に位置するフラッパーへの接触点を移動させて、前記上部に位置するフラッパーが前記下部に位置するフラッパーから受ける反力を変化させるものである。
【００２３】
これによって、商品がフラッパーに接触するときは、反力を小さくして、フラッパーで商品の衝撃力を吸収し、その後は反力を大きくして、商品の落下速度の減速効果を発揮させることができる。
【００２４】
第４の発明は、第１から第３のいずれか一つの発明において、フラッパーは商品に対して、前記フラッパーの自由端側に位置する商品案内体方向へ押圧力を与えながら回動するものである。
【００２５】
これによって、商品の落下方向がジグザグ状にならずに落下し、投入された横倒し姿勢の商品は、落下途中で不安定な姿勢や引っ掛かり現象から発生する商品立ちを起すことなく横倒し姿勢のままより安定して落下させることができる。また商品案内体との接触摩擦力により商品の落下速度の減速効果をより発揮させることができる。
【００２６】
第５の発明は、第１から第４のいずれか一つの発明において、商品収納コラム内を落下移動する商品は、複数のフラッパーに同時に接触するものである。
【００２７】
これによって、商品は複数のフラッパーに同時に接触しながら落下移動するので、フラッパーに接触しないタイミングがなくなり、商品の横倒し姿勢を常に維持するので、落下途中で不安定な姿勢や引っ掛かり現象から発生する商品立ちを起すことなくより安定して落下させることができる。
【００２８】
第６の発明は、第１から第５のいずれか一つの発明において、商品は複数のフラッパーの反力を同時に受けながら落下するものである。
【００２９】
これによって、商品は落下移動するとき、複数のフラッパーの反力を同時に受けることで、落下速度をより減速させることができる。
【００３０】
第７の発明は、第１から第６のいずれか一つの発明において、上部フラッパーの回動基点と下部フラッパーの回動基点間の距離は、前記上部フラッパーの回動基点から自由端側方向のフラッパーの長さよりも短くしたものである。これによって、第１から第６のいずれかの発明を、簡単な構成で実現することができる。
【００３１】
以下、本発明の実施の形態について、図面を参照しながら説明する。なお、この実施の形態によって本発明が限定されるものではない。
【００３２】
（実施の形態１）
本発明の実施の形態１を図１〜図４を参照して説明する。図１は自動販売機の側方から見た概略構成図、図２はフラッパーの斜視図、図３は商品収納装置の側断面図、図４（ａ）、（ｂ）は商品落下時のフラッパーの動作状態図である。
【００３３】
図１〜図４において、自動販売機２０の奥行き方向すなわち前後方向に商品収納部である商品収納コラム２１を複数列設け、この商品収納コラム２１の上部の収納口２２から缶、ビンあるいはペットボトル等の商品Ｓを横倒し姿勢で投入し、商品収納コラム２１内を落下させて商品収納コラム２１内に収納する。商品収納コラム２１の下部に備えた商品搬出機構部２３によって、一個ずつ搬出され取出口２４に排出される。
【００３４】
次に商品収納コラム２１の構成について説明する。商品収納コラム２１は、商品案内体２５と商品案内体２６を上下方向に沿って前後に対向配置して形成し、商品収納コラム２１の左右の側壁として側板２７ａ、２７ｂを配置している。商品案内体２５と商品案内体２６は略平板形状でそれぞれ上下方向に連続して構成されている。商品収納コラム２１内で商品案内体２５側には、上下方向に配列した複数の板状のフラッパー２８を上下に所定間隔をおいて設けている。フラッパー２８の各々は、その回動基点となる固定端側２８ａに軸２９を挿通し、中央部に形成した切欠き部２８ｂに位置する軸２９にコイルバネ等の付勢手段３０が設けられている。なお軸２９は商品案内体２５に支持されているものである。なお軸２９は、側板２７ａ、２７ｂに回動自在に取り付けてもよい。
【００３５】
また、フラッパー２８の固定端側２８ａと自由端側２８ｃの高さ方向の位置関係は、固定端側２８ａが上方で自由端側２８ｃが下方になるように商品収納コラム２１内へ突出した状態に付勢手段３０で付勢されて保持されている。さらに上部に位置するフラッパーの回動基点（軸２９）と下部に位置するフラッパーの回動基点（軸２９）間の距離は、前記フラッパーの回動基点から自由端側方向のフラッパーの長さよりも短く設定されているものである。
【００３６】
商品収納コラム２１は、自動販売機２０の内部に複数列配置しているが、この列数は商品Ｓの種類、全体の収納数等に応じて任意に設定すればよい。さらに商品案内体２５と商品案内体２６を対向配置して、一方の商品案内体２５の上下方向にフラッパー２８を配列しているが、前記したように複数列の商品収納コラム２１を設ける場合には、フラッパー２８を配列した商品案内体２５の背面を商品案内体２６としての役割をさせる構成としてもよい。この場合には、全体の構成をより簡略化することができる。
【００３７】
また、軸２９にコイルバネ等の付勢手段３０が設けられているが、付勢手段３０としてフラッパー２８と商品案内体２５とを板バネで連結してもよい。
【００３８】
以上のように構成された自動販売機の商品収納装置について以下、その動作、作用を説明する。
【００３９】
まず、商品Ｓが自動販売機２０の収納口２２に投入され、商品Ｓが上部に位置するフラッパー２８に達したとき、上部に位置するフラッパー２８は、商品Ｓの自重によって軸２９を中心に付勢手段３０の付勢力に抗して下方へ回動し、下方に一定角度回動したとき上部に位置するフラッパー２８の自由端２８ｃ側が下部に位置するフラッパー２８に接触する。接触後、下部に位置するフラッパー２８は、固定端側２８ａにある付勢手段３０に抗して上部に位置するフラッパー２８から受ける力によって下方へ回動する。
【００４０】
本実施の形態によれば、従来のように、商品の落下移動に対して、複数のフラッパーが、各々独立した間欠的な動作として下方へ回動して商品を支持するのではなく、商品案内体２６に沿って落下移動する商品Ｓの落下位置に応じて、上部、下部に位置するフラッパー２８同士を相互に関連した連続的な動作として回動させる。したがって、上部に位置するフラッパー２８の回動により、下部に位置するフラッパー２８は、付勢手段で付勢された静止位置から事前に下方に回動を開始し、各々のフラッパー２８が商品収納コラム２１内を落下移動する商品Ｓを順次連続して支持するとともに、商品Ｓに反力を与えて落下速度を減速する。
【００４１】
これによって、商品収納コラム２１内に投入された横倒し姿勢の商品Ｓは、落下途中で不安定な姿勢や引っ掛かり現象から発生する商品立ちを起すことなく横倒し姿勢のまま安定して落下し、商品収納コラム２１内での商品詰まりを防止することができる。また、商品Ｓの落下速度を各々のフラッパー２８によって、より連続的に減速させることにより、商品Ｓがフラッパー２８へ接触するときおよび商品が静止している最下部に着地するときの衝撃力が小さくなり、衝撃音の発生、商品の変形や破損を防止することができる。
【００４２】
また、前記したように、商品Ｓが上部に位置するフラッパー２８に達したとき、上部に位置するフラッパー２８は、商品Ｓの自重によって軸２９を中心に付勢手段３０の反力に抗して下方へ回動する。商品Ｓの落下位置の下方への移動によって下方に一定角度回動したとき、上部に位置するフラッパー２８の自由端２８ｃ側が下部に位置するフラッパー２８に接触する。この接触後、下部に位置するフラッパー２８は、固定端側２８ａに有る付勢手段３０の反力（付勢力）に抗して上部に位置するフラッパー２８から受ける力によって下方へ回動する。この際、上部に位置するフラッパー２８は、下部に位置するフラッパー２８の付勢手段３０の反力を受けながら下方に回動することになる。
【００４３】
したがって、商品Ｓが上部に位置するフラッパー２８に接触したときは、上部に位置するフラッパー２８の付勢手段３０のみの反力によって商品Ｓの落下速度を減速し、上部に位置するフラッパー２８の自由端２８ｃ側が下部に位置するフラッパー２８に接触後は、下部に位置するフラッパー２８の付勢手段３０の反力が付加されて、商品Ｓの落下速度に対する減速効果が大きくなる。
【００４４】
これによって、商品Ｓが単一のフラッパー２８に接触するときは、この付勢手段３０のみの反力を受けるので、フラッパー２８に接触する商品Ｓの衝撃力が減少し、商品Ｓの跳ね上がり現象を防止し、フラッパー２８が常に商品Ｓを支持して落下姿勢を安定させることができるとともに、衝撃音の発生、商品の変形、破損を防止することができる。
【００４５】
さらに、上部に位置するフラッパー２８の自由端２８ｃ側が下部に位置するフラッパー２８に接触後は、下部に位置するフラッパー２８の付勢手段３０の反力が付加されて、商品Ｓの落下速度に対する減速効果が大きくなることによって、商品Ｓが静止している最下部に着地するときの衝撃力が小さく、衝撃音の発生、商品の変形、破損を防止することができる。また各々のフラッパー２８の付勢手段３０の付勢力を小さく設定しても、前記効果を発揮させることができ、商品Ｓの種類にも対応させることができる。
【００４６】
また上部に位置するフラッパー２８の自由端側２８ｃが下部に位置するフラッパー２８に接触する接触点Ｐは、商品Ｓの落下移動に伴って自由端側２８ｃが、下部に位置するフラッパー２８上を自由端側２８ｃから固定端側２８ａ方向に向かって移動する。すなわち接触点Ｐが下部に位置するフラッパー２８の軸２９側に移動するので、上部に位置するフラッパー２８が下部に位置するフラッパー２８から付加される反力は徐々に大きくなっていく。
【００４７】
したがって、商品Ｓの落下速度に対する減速効果が、フラッパー２８の回動とともに順次大きくなることになり、商品Ｓが静止している最下部に着地するときの衝撃力が小さく、衝撃音の発生、商品の変形、破損を防止することができる。
【００４８】
また、フラッパー２８は、商品Ｓに対して商品案内体２６方向にも押圧力を与えているので、略平板状の商品案内体２６に常に接しながら落下移動し、下方に一定して落下移動していく。これによって、商品Ｓはジグザグ状に落下方向を変化せず、さらにフラッパー２８と商品案内体２６とで常に支持されて落下移動するので、商品収納コラム２１内に投入された横倒し姿勢の商品Ｓは、落下途中で不安定な姿勢や引っ掛かり現象から発生する商品立ちを起すことなく横倒し姿勢のまま安定して落下し、商品収納コラム２１内での商品詰まりを防止することができる。
【００４９】
さらに、商品Ｓは商品案内体２６と常に接して落下することによる摩擦力によって減速されるので、フラッパー２８による減速との相乗作用で落下速度を減速し、商品Ｓが静止している最下部に着地するときの衝撃力が小さく、衝撃音の発生、商品の変形、破損を防止することができる。
【００５０】
また、図４（ａ）、図４（ｂ）に落下する商品Ｓの位置と複数のフラッパー２８との接触状態の変化を示す。図４（ａ）に示す商品Ｓの落下位置が下方に少し移動した状態を図４（ｂ）に示すものである。上部から下部に順次位置する複数のフラッパーを２８ｄ、２８ｅ、２８ｆ、２８ｇ、２８ｈの符号をつけて説明する。
【００５１】
図４（ａ）は、商品Ｓがフラッパー２８ｄ、２８ｅ、に接触し、さらにフラッパー２８ｅの自由端側が下部に位置するフラッパー２８ｆに、フラッパー２８ｆの自由端側がフラッパー２８ｇに各々接触しているもので、フラッパー２８ｈは付勢手段３０によって付勢された一定位置に静止している状態を示すものである。また図４（ｂ）は、商品Ｓの下方への移動により、商品Ｓが図中のＡで示す接点でフラッパー２８ｅと、商品Ｓが図中のＢで示す接点で２８ｆに接触している。さらにフラッパーを２８ｅ、２８ｆ、２８ｇが回動を増して、フラッパー２８ｅの自由端側が下部に位置するフラッパー２８ｆに、フラッパー２８ｆの自由端側がフラッパー２８ｇに各々接触しているもので、フラッパー２８ｄは商品Ｓとの接触が解除されて付勢手段３０によって元の一定位置に静止している状態を示すものである。
【００５２】
前記のように、商品Ｓは複数のフラッパーに同時に接触しながら落下移動するので、フラッパーに接触しないタイミングがなくなり、商品の横倒し姿勢を常に維持するので、落下途中で不安定な姿勢や引っ掛かり現象から発生する商品立ちを起すことなくより安定して落下させることができる。さらに、図４（ｂ）で明らかなように、商品Ｓの下方への移動により、商品Ｓが図中のＡで示す接点でフラッパー２８ｅと、商品Ｓが図中のＢで示す接点でフラッパー２８ｆに接触し、また商品Ｓが図中の接点Ｃで示す商品案内体２６とに接触している。このように落下移動する商品Ｓは、前記Ａ、Ｂ、Ｃの３点に接触しているので、商品Ｓの横倒し姿勢を略水平方向に安定させながら落下し、商品姿勢を安定させることができる。
【００５３】
また、図４（ｂ）で明らかなように、落下移動する商品Ｓはフラッパー２８ｅとフラッパー２８ｄから反力を同時に受けている。これによって、商品は落下移動するとき、複数のフラッパーの上向きの反力を同時に受けることで、落下速度をより減速させることができる。さらに前記した作用とともに、複数のフラッパーで商品Ｓを商品案内体２６に押圧力を与えているので、商品Ｓの落下姿勢の安定化と落下速度の減速効果をより発揮させることができる。
【００５４】
また、前記したように、商品Ｓが上部に位置するフラッパー２８ｅに達したとき、上部に位置するフラッパー２８ｅは、商品Ｓの自重によって軸２９を中心に付勢手段３０の反力に抗して下方へ回動し、商品Ｓの落下位置の下方への移動によって下方に一定角度回動したとき、上部に位置するフラッパー２８ｅの自由端２８ｃ側が下部に位置するフラッパー２８ｆに接触する。この接触後、下部に位置するフラッパー２８ｆは、固定端側２８ａにある付勢手段３０の反力（付勢力）に抗して上部に位置するフラッパー２８ｅから受ける力によって下方へ回動する。この際、上部に位置するフラッパー２８ｅは、下部に位置するフラッパー２８ｄの付勢手段３０の反力を受けながら下方に回動することになる。
【００５５】
したがって、商品Ｓが上部に位置するフラッパー２８ｅに接触したときは、上部フラッパー２８ｅ付勢手段３０のみの反力によって商品Ｓの落下速度を減速し、上部に位置するフラッパー２８ｅの自由端２８ｃ側が下部に位置するフラッパー２８ｆに接触後は、下部に位置するフラッパー２８ｆの付勢手段３０の反力が付加されて、さらに図４（ａ）、図４（ｂ）に示す状態においては、上部に位置するフラッパー２８ｆの自由端２８ｃ側が下部に位置するフラッパー２８ｄに接触し、下部に位置するフラッパー２８ｇの付勢手段３０の反力が付加されている。したがって商品Ｓの落下速度に対する減速効果が大きくなる。
【００５６】
これによって、商品Ｓが静止状態のフラッパー２８ｅに接触するときは、この付勢手段３０のみの反力を受けるので、フラッパー２８ｅに接触する商品Ｓの衝撃力が減少し、商品Ｓの跳ね上がり現象を防止し、フラッパー２８が常に商品Ｓを支持して落下姿勢を安定させることができるとともに、衝撃音の発生、商品の変形、破損を防止することができる。
【００５７】
また、上部に位置するフラッパー２８ｅの自由端２８ｃ側が下部に位置するフラッパー２８ｆに、さらにフラッパー２８ｆの自由端２８ｃ側が下部に位置するフラッパー２８ｇに接触後は、下部に位置するフラッパー２８ｆ、２８ｇの付勢手段３０の反力が付加されて商品Ｓの落下速度に対する減速効果がより大きくなることによって、商品Ｓが静止している最下部に着地するときの衝撃力が小さく、衝撃音の発生、商品の変形、破損を防止することができる。また各々のフラッパー２８ｄ、２８ｅ、２８ｆ、２８ｇ、２８ｈの付勢手段３０の付勢力を小さく設定しても、前記効果を発揮させることができ、商品Ｓの種類にも対応させることができる。
【００５８】
また上部に位置するフラッパー２８ｅの自由端側２８ｃが下部に位置するフラッパー２８ｆに接触する接触点Ｐは、商品Ｓの落下移動に伴って自由端側２８ｃが、下部に位置するフラッパー２８ｆ上を自由端側２８ｃから固定端側２８ａ方向に向かって移動する。すなわち接触点Ｐが下部に位置するフラッパー２８ｆの軸２９側に移動するので、上部に位置するフラッパー２８ｅが下部に位置するフラッパー２８ｆから付加される反力は徐々に大きくなっていく。さらにフラッパー２８ｆとフラッパー２８ｇとにおいても同様に作用する。図４（ａ）、図４（ｂ）に示す状態においては、特に商品Ｓにフラッパー２８ｅ、２８ｆ、２８ｇの三個のフラッパーが作用していることになる。
【００５９】
したがって、商品Ｓの落下速度に対する減速効果が、フラッパー２８の回動とともに順次大きくなることになり、商品Ｓが静止している最下部に着地するときの衝撃力が小さく、衝撃音の発生、商品の変形、破損を防止することができる。
【００６０】
また、フラッパー２８の固定端側２８ａから自由端側２８ｃ方向の長さは６５〜８０ｍｍで缶やペットボトル商品を十分支持できる寸法で、上部に位置するフラッパーの回動基点（軸２９）と下部に位置するフラッパーの回動基点（軸２９）間の距離は、４０〜６０ｍｍで、フラッパーの回動基点から自由端側方向のフラッパーの長さよりも短く設定されている。これによって、前記第１から第６のいずれかの発明を簡単な構成で実現することができる。
【００６１】
（実施の形態２）
図５は、本発明の実施の形態２の商品落下時のフラッパーの動作状態図である。実施の形態１と同様の部分については省略し、異なる部分について説明する。特に実施の形態１の図４と異なる点は、複数のフラッパー３１ｄ、３１ｅ、３１ｆ、３１ｇ、３１ｈを、下方側が凸状なる方向に湾曲形成させたものである。
【００６２】
複数のフラッパー３１ｄ、３１ｅ、３１ｆ、３１ｇ、３１ｈと商品Ｓの落下移動に対する基本的な動作、作用は、図４の構成で述べたものと同様であり詳細な説明を省略する。
【００６３】
特に、複数のフラッパー３１ｄ、３１ｅ、３１ｆ、３１ｇ、３１ｈは湾曲形成されているので商品Ｓとの接触点が拡大し、商品Ｓをより確実に支持することがでる。これによって投入された横倒し姿勢の商品は、落下途中で不安定な姿勢や引っ掛かり現象から発生する商品立ちを起すことなく横倒し姿勢のままより安定して落下させることができる。
【００６４】
また商品Ｓの落下速度の減速効果をより発揮させることができる。
【００６５】
上記実施の形態１、２においては、複数のフラッパー２８が上下方向に複数連続して形成され、上部、下部に位置するフラッパー同士を相互に関連した連続的な動作として回動させる。したがって、上部に位置する上部フラッパーの回動により、下部に位置するフラッパーは、付勢手段で付勢された静止位置から事前に下方に回動を開始し、各々のフラッパーが商品収納コラム内を落下移動する商品を順次連続的に支持するとともに、商品に反力を与えて落下速度を減速する。
【００６６】
また、商品Ｓを連続投入した際も付勢手段３０によって即座に初期位置に戻り、商品Ｓと接触して商品を案内するので落下姿勢を安定させることができる。
【００６７】
さらに上部、下部に位置するフラッパー２８と商品Ｓとの接触で説明したが、上下方向に連続する３つ以上のフラッパーを接触させる構成とすることもでき、この場合には投入された横倒し姿勢の商品は、落下途中で不安定な姿勢や引っ掛かり現象から発生する商品立ちを起すことなく横倒し姿勢のままより安定して落下させることができる。また商品Ｓの落下速度の減速効果をより発揮させることができる。
【産業上の利用可能性】
【００６８】
以上のように本発明にかかる飲料自動販売機は多種類の缶飲料やペット飲料の自動販売機に対応でき商品搬出の品質を向上させた自動販売機を提供できる。
【図面の簡単な説明】
【００６９】
【図１】本発明の実施の形態１の自動販売機の側方から見た概略構成図
【図２】本発明の実施の形態１のフラッパーの斜視図
【図３】本発明の実施の形態１の商品収納装置の側断面図
【図４】（ａ）本発明の実施の形態１の商品落下時のフラッパーの動作状態図（ｂ）同実施の形態の商品落下時のフラッパーの動作状態図
【図５】本発明の実施の形態２の商品落下時のフラッパーの動作状態図
【図６】従来の商品収納装置の側断面図
【図７】従来の別の商品収納装置の側断面図
【符号の説明】
【００７０】
２０  自動販売機
２１  商品収納コラム
２５  商品案内体
２６  商品案内体
２８，２８ｄ，２８ｅ，２８ｆ，２８ｇ，２８ｈ  フラッパー
２８ａ  固定端側
２８ｃ  自由端側
２９  軸（回動基点）
３０  付勢手段
３１ｄ，３１ｅ，３１ｆ，３１ｇ，３１ｈ  フラッパー
【図１】
2006277479.tif 000003
【図２】
2006277479.tif 000004
【図３】
2006277479.tif 000005
【図４】
2006277479.tif 000006
【図５】
2006277479.tif 000007
【図６】
2006277479.tif 000008
【図７】
2006277479.tif 000009